(57)【要約】【課題】風呂水を洗濯機に供給する際に、風呂水吸水ホースの取り扱いが容易で効率良く風呂水を洗濯機に供給できる。【解決手段】洗濯機３の吸水側に接続され、先端が浴槽７内に配置される風呂水吸水ホース８において、風呂水吸水ホース８の先端側に設けられたＬ字部材１３と、Ｌ字部材１３に設けられ、風呂水吸水ホース８の先端側を浴槽７に固定可能な吸盤部材２１と、Ｌ字部材１３の先端側に延設された浴槽側ホース部１４と、洗濯機側ホース部と、を備えた構成とする。【選択図】図１
2011206102.tif 000002
【特許請求の範囲】
【請求項１】
基端が洗濯機の風呂水吸水口に接続され、先端が浴槽内に配置された状態で風呂水吸水経路として供される風呂水吸水ホースにおいて、
前記風呂水吸水ホースの先端側に設けられたＬ字状の屈曲部と、
前記屈曲部近傍に設けられ、前記風呂水吸水ホースの先端側を前記浴槽に固定可能なホース固定具と、
前記屈曲部の先端側に延設された浴槽側ホース部と、
基端から前記屈曲部までを構成し、少なくとも一部に可撓性を有する洗濯機側ホース部と、
を備えたことを特徴とする洗濯機の風呂水吸水ホース。
【請求項２】
浴槽側ホース部は、伸縮自在な構成としたことを特徴とする請求項１記載の洗濯機の風呂水吸水ホース。
【請求項３】
洗濯機側ホース部を吊持可能に設けられ、且つ該ホース部の延出方向に沿って移動可能な吊持具を備えたことを特徴とする請求項１記載の洗濯機の風呂水吸水ホース。
【請求項４】
屈曲部は、その両端部を基端側の長手部と先端側の短手部となすＬ字状をなすとともに、剛性部材にて形成されていることを特徴とする請求項１記載の洗濯機の風呂水吸水ホース。
【発明の詳細な説明】
【技術分野】
【０００１】
本発明は、風呂水を利用するために洗濯機に接続する風呂水吸水ホースに関する。
【背景技術】
【０００２】
洗濯機においては、節水あるいは洗浄率の向上を目的に風呂水（温湯）を洗濯水として利用するため、水道水を供給する給水手段に加えて風呂水を供給する給水手段を備えた構成としている。
【０００３】
風呂水を利用する際に使用される風呂水吸水ホースは、洗濯機の風呂水用の吸水口と浴槽との間を接続するもので、可撓性に富んだホースを主体として、このホースの基端には洗濯機の風呂水吸水口に接続される接続部と、先端には浴槽内に配置される吸水口部とを備えた構成としている。この風呂水吸水ホースが長すぎると、途中部分を大きく撓み変形させることになり、スムーズな吸水ができない。そこで、使用者は、洗濯機と浴槽との配置関係を考慮して、風呂水吸水ホースの長さを適宜に調節して取り扱う必要がある（例えば、特許文献１参照）。
【先行技術文献】
【特許文献】
【０００４】
【特許文献１】特開２００８−１６７９１４号公報（図１参照）
【発明の概要】
【発明が解決しようとする課題】
【０００５】
しかしながら、風呂水吸水ホースの長さを使用者が適宜に調節して使用しても、使用時に風呂水吸水ホース先端の吸水口部の浴槽内での位置が安定し難くスムーズに風呂水を吸入することができず、或いは風呂水吸水ホースの取り扱いが面倒であったり、効率良く洗濯機に風呂水を吸入できないことがあった。
【０００６】
本発明は上記事情に鑑みてなされたもので、その目的は、風呂水を洗濯機に供給する際に、風呂水吸水ホースの取り扱いが容易で効率良く風呂水を洗濯機に吸入できる洗濯機の風呂水吸水ホースを提供することにある。
【課題を解決するための手段】
【０００７】
上記目的を達成するために、本発明に係る洗濯機の風呂水吸水ホースは、基端が洗濯機の風呂水吸水口に接続され、先端が浴槽内に配置された状態で風呂水吸水経路として供される風呂水吸水ホースにおいて、前記風呂水吸水ホースの先端側に設けられたＬ字状の屈曲部と、前記屈曲部近傍に設けられ、風呂水吸水ホースの先端側を浴槽に固定可能なホース固定具と、前記屈曲部の先端側に延設された浴槽側ホース部と、基端から前記屈曲部までを構成し、少なくとも一部に可撓性を有する洗濯機側ホース部と、を備えたことを特徴とする（請求項１の発明）。
【発明の効果】
【０００８】
上記構成によれば、風呂水吸水ホースは、Ｌ字状の屈曲部近傍がホース固定具により浴槽に固定されるようにしたので、この先端側に延設された浴槽側ホース部を適正位置に安定配置することができるとともに、風呂水吸水ホースの取り扱いが容易で効率良く風呂水を洗濯機に吸入することができる。
【図面の簡単な説明】
【０００９】
【図１】本発明の第１実施例を示す、風呂水吸水ホースの使用状態図
【図２】風呂水吸水ホースの基端側の洗濯機側ホース部を拡大して示す図
【図３】風呂水吸水ホースの先端側の浴槽側ホース部を拡大して示す図
【図４】本発明の第２実施例を示す、図２相当図
【図５】図３相当図
【発明を実施するための形態】
【００１０】
（第１実施例）
以下、本発明に係る洗濯機の風呂水吸水ホースの第１実施例について図１乃至図３を参照して説明する。
図１は、本実施例に係る洗濯機の風呂水吸水ホースの使用状態を示すものである。
浴室１には、脱衣室２が隣接して設けられ、この脱衣室２には洗濯機３が設置されている。浴室１と脱衣室２とを繋ぐ出入口４には開閉扉５が設けられている。浴室１には、出入口４側から床面部６を経て、奥部に浴槽７が設けられている。
【００１１】
開閉扉５は、例えば浴室１内へ屏風状に折り曲げて開放可能な構成としている。開閉扉５には、開放時の出入口４側に水平方向に棒状に延びる取っ手５ａが取り付けられている。
洗濯機３のトップカバー９には、水道水を洗濯機３に供給するための吸入口（図示せず）の他に、浴槽７に残った風呂水Ｘ（水位を二点鎖線で示す）を洗濯機３に吸入するための円筒状凹部の風呂水吸水口１１が設けられている。
【００１２】
洗濯機３と浴槽７とは、風呂水吸水ホース８により接続されている。風呂水吸水ホース８は、その基端は洗濯機３の風呂水吸水口１１に接続されており、その先端は浴槽７（風呂水Ｘ）内に配置されている。
風呂水吸水ホース８は、基端側の洗濯機側ホース部１２と、本実施例では途中部位の合成樹脂で剛性を有するＬ字状に形成されたＬ字部材１３と、先端側の浴槽側ホース部１４が連結された構成としている。
【００１３】
基端側の洗濯機側ホース部１２は、洗濯機３とＬ字部材１３との間に設けられ、その途中部分には吊持具としてのフック部材１５が備えられている。このフック部材１５は、開閉扉５の取っ手５ａに引っ掛けられ、風呂水吸水ホース８を所定位置に保持すべく吊持するものである。
【００１４】
Ｌ字部材１３は、詳細は後述するが長手部１３ａと短手部１３ｂとから構成され（図３参照）、該Ｌ字部材１３には、ホース固定具としての吸盤部材２１が備えられている。浴槽７の上部内壁面７ａ（図３参照）に吸盤部材２１が吸着され固定されることにより、Ｌ字部材１３は浴槽７に対して固定される。先端側の浴槽側ホース部１４は、浴槽７内にあってＬ字部材１３の先端から垂下され、その先端部から風呂水Ｘを吸入するものである。
【００１５】
次に図２を参照して基端側の洗濯機側ホース部１２について説明する。
洗濯機側ホース部１２は、可撓性に富んだ長尺蛇腹構造の合成樹脂製の蛇腹ホース部１６を主体として、この蛇腹ホース部１６の基端部には洗濯機３の風呂水吸水口１１に嵌合接続される継手部材１７の継手基部１７ａが設けられ、その先端部にＬ字部材１３の長手部１３ａ（図３参照）の一端が接続されている。洗濯機側ホース部１２は、途中部分にフック部材１５が備えられており、このフック部材１５は、洗濯機側ホース部１２の延出方向に沿って節動的に移動可能に取り付けられている。
【００１６】
フック部材１５は、ホース保持部１８とフック部１０とを備える。ホース保持部１８は円環状をなし、その内径は蛇腹ホース部１６の外径より大きく形成され、円環状内部に蛇腹ホース部１６が挿通可能に挿入されている。フック部１０は、略Ｃ字状をなし、その一端部をホース保持部１８の外周に蛇腹ホース部１６の前記挿通方向に対してフック部１０が鉛直となるように回転可能に取り付けられている。フック部１０が、開閉扉５の取っ手５ａに引っ掛けられることにより、ホース保持部１８が蛇腹ホース部１６の途中部位を吊持する。
【００１７】
次に図３を参照してＬ字部材１３及び先端側の浴槽側ホース部１４について説明する。
先端側の浴槽側ホース部１４は、例えば、その伸長、収縮、屈曲した各状態における所定の形状を保持することができる伸縮自在な蛇腹構造とする合成樹脂製の伸縮ホース部１９を主体として、この伸縮ホース部１９の基端部にはＬ字部材１３の短手部１３ｂの一端が接続され、その先端部には吸水口体２０が接続されている。吸水口体２０は、伸縮ホース部１９の伸縮調整により高さ位置を自在に調整できることから、浴槽７の底部近傍に配置され、風呂水Ｘを濾過するフィルタ部材が内蔵され先端部から風呂水Ｘを吸い込む構成をなしている。
【００１８】
Ｌ字部材１３の短手部１３ｂには、吸盤部材２１が取り付けられている。
吸盤部材２１は、ホース支持部２２と吸盤部２３とを備えている。ホース支持部２２は、円環状をなし、その内径は短手部１３ｂの外径より若干大きく形成され、この円環状内部にＬ字部材１３の短手部１３ｂが挿通されている。吸盤部２３は、合成ゴムからなり、吸着面が前記短手部１３ｂの挿通方向と直交方向に形成されるようにホース支持部２２に取り付けられている。
【００１９】
次に上記構成の作用、効果について以下に説明する。
吸盤部材２１を浴槽７の上部内壁面７ａに吸着固定させ、吸盤部材２１に取り付けられたＬ字部材１３が、浴槽７に対して固定される。このとき、Ｌ字部材１３は、その短手部１３ｂは浴槽７内部に位置して浴槽７の底面７ｂ側にその先端を向け、一方、長手部１３ａは、浴槽７の周壁７ｃの上端に当接支持され、浴室１の出入口４側（図１参照）にその先端を向けている。
【００２０】
Ｌ字部材１３が浴槽７に対して固定されることにより、浴槽側ホース部１４は、洗濯機３の風呂水吸入時に浴槽７内での自由動が抑えられるため、無駄な移動がなく吸水口体２０を浴槽７内で安定保持させることができ、効率良く浴槽７内の風呂水Ｘを吸水口体２０から吸入することができる。さらに、Ｌ字部材１３の短手部１３ｂが、吸盤部材２１のホース支持部２２に固定的に支持されれば、吸水口体２０を浴槽７内で一層安定保持させることができ、効率良く浴槽７内の風呂水Ｘを吸水口体２０から吸入することができる。
【００２１】
また、吸盤部材２１を浴槽７の上部内壁面７ａに吸着させることにより、容易にＬ字部材１３を浴槽７に対して固定させることができるため、風呂水吸水ホース８の取り扱いは容易である。
【００２２】
浴槽側ホース部１４の伸縮ホース部１９は、その収縮部分１９ａ及び伸長部分１９ｂのそれぞれの長さを適宜調節して、伸縮ホース部１９の長さを伸縮自在に調節することができる。これにより、吸水口体２０を高さ調整自在に配置でき、その先端部を浴槽７の底面７ｂ近くの適正位置に安定配置させることができる。このため、浴槽７の底面７ｂ付近の風呂水Ｘも吸水口体２０から吸入することができ、風呂水Ｘを効率良く利用することができる。
【００２３】
浴室１の奥部に位置する浴槽７は、床面部６を経て洗濯機３と離れている。このような場合には、洗濯機側ホース部１２に設けられたフック部材１５を洗濯機側ホース部１２の延出方向に沿って適宜移動させ、開閉扉５の取っ手５ａに引っ掛ける。このことにより、洗濯機側ホース部１２の蛇腹ホース部１６の途中部分を取っ手５ａ近くの高さに吊持することができ、洗濯機側ホース部１２が、洗濯機３と浴槽７との間で大きく弛み撓み変形することを防止できる。
【００２４】
例えば、洗濯機側ホース部１２が下方に撓み、蛇腹ホース部１６の途中部分に谷部ができてしまうと、この谷部に空気が溜まってしまいスムーズに風呂水Ｘを吸入することができない場合がある。しかし、洗濯機側ホース部１２をフック部材１５により所定の高さに吊持し、蛇腹ホース部１６の途中部分の谷部を無くし、或いは極小さくすることにより、蛇腹ホース部１６内の空気が速やかに抜け、スムーズな風呂水Ｘの吸入が可能となる。
【００２５】
Ｌ字部材１３の長手部１３ａの先端に洗濯機側ホース部１２の蛇腹ホース部１６を接続させた。Ｌ字部材１３は剛性を有するため、洗濯機３から浴槽７までの洗濯機側ホース部１２の蛇腹ホース部１６の撓みやすい部分を極力短くすることができる。このため、蛇腹ホース部１６の途中部分の谷部を極力短くでき、蛇腹ホース部１６内の空気が速やかに抜け、スムーズな風呂水Ｘの吸入が可能となる。
【００２６】
（第２実施例）
以下、本発明に係る洗濯機の風呂水吸水ホースの第２実施例について図４及び図５を参照して説明する。なお、第１実施例と同一の部分には同一の符号を付して説明を省略し、異なる部分についてのみ述べる。
【００２７】
本実施例に係る洗濯機の風呂水吸水ホース３０は、第１実施例で示したものに対して、吊持具としてのフック部材１５に代えてクリップ部材３１を備え、ホース固定具としての吸盤部材２１に代えてクランプ部材３２を備えた構成である点で異なり、洗濯機側ホース部１２と、Ｌ字部材１３と、浴槽側ホース部１４とが連結された同様の構成としている。
【００２８】
次に図４を参照して基端側の洗濯機側ホース部１２について説明する。
基端側の洗濯機側ホース部１２は、洗濯機３とＬ字部材１３との間に設けられ、その途中部分に吊持具たるクリップ部材３１が備えられており、このクリップ部材３１は、洗濯機側ホース部１２の延出方向に沿って節動的に移動可能に取り付けられている。このクリップ部材３１は、開閉扉５の取っ手５ａに引っ掛けられ、風呂水吸水ホース３０を所定位置に保持すべく吊持するものである。
【００２９】
クリップ部材３１は、下部にホース保持部３５と上部にクリップ部３６とを備える。ホース保持部３５は、円環状をなし、その内径は蛇腹ホース部１６の外径より大きく形成され、円環状内部に蛇腹ホース部１６が挿通可能に挿入されている。クリップ部３６は、先端部に挟持部３７、３８を備え、基端部に把持部３９、４０を備える。挟持部３７、３８の間には空間Ｇが形成され、この空間Ｇ内に開閉扉５の取っ手５ａを挟持する。把持部３９、４０の間には図示しないバネが取り付けられており、このバネは、挟持部３７、３８を閉じる方向に常時付勢している。この把持部３９、４０を握り締め相互に近接させることにより、このバネ力に抗して狭持部３７、３８が離間する。
【００３０】
把持部３９の下端は、ホース保持部３５の外周に蛇腹ホース部１６の前記挿通方向に対してクリップ部３６が鉛直となるように回転可能に取り付けられている。クリップ部３６が、本実施例における開閉扉５の取っ手５ａを空間Ｇ内に挟持することにより、ホース保持部３５が蛇腹ホース部１６を吊持し、洗濯機側ホース部１２の途中部分が取っ手５ａ近くの高さまで吊持される。
【００３１】
次に図５を参照してＬ字部材１３及び先端側の浴槽側ホース部１４について説明する。
浴槽側ホース部１４は、伸縮ホース部１９を主体として、この伸縮ホース部１９の基端部にはＬ字部材１３の短手部１３ｂの一端が接続され、その先端部には吸水口体２０が接続されている。
【００３２】
Ｌ字部材１３の長手部１３ａには、クランプ部材３２が取り付けられている。
クランプ部材３２は、上部にホース支持部４１と下部にクランプ部４２を備えている。ホース支持部４１は円環状をなし、その内周にはＬ字部材１３の長手部１３ａが挿通されている。クランプ部４２は、後述するように浴槽７の周壁７ｃに取り付けられるもので、Ｕ字状のフレーム部４３とねじ４４ａを主体とする押圧部４４とを備えたクランプ構成としており、フレーム部４３の開口部を下方に向けて用いられる。フレーム部４３の上面にホース支持部４１が取り付け固定されている。
【００３３】
次に上記構成の作用、効果について以下に説明する。
図５に示すように、クランプ部材３２のフレーム部４３を浴槽７の周壁７ｃに嵌め込み、クランプ部４２のねじ４４ａを回すことにより、フレーム部４３と押圧部４４との間に浴槽７の周壁７ｃを挟持し固定する。これにより、ホース固定具たるクランプ部材３２は浴槽７の周壁７ｃ上部に固定され、Ｌ字部材１３が浴槽７に対して固定される。
【００３４】
浴槽７の周壁７ｃをクランプ部材３２により押圧挟持して、Ｌ字部材１３を浴槽７に対して固定するため、上述した第１実施例で示したホース固定具としての吸盤部材２１が吸着できない浴槽７の壁面であってもＬ字部材１３を浴槽７に対して固定することができ、浴槽７の材質にとらわれることなく、Ｌ字部材１３を浴槽７に対して固定することができる。さらに、ねじ４４ａによる押圧力によりクランプ部材３２が浴槽７の周壁７ｃを強力に挟持するため、Ｌ字部材１３は浴槽７に対して強固に固定することができ、浴槽側ホース部１４は、洗濯機３の風呂水吸入時に浴槽７内での自由動が抑えられるため、無駄な移動がなく吸水口体２０を浴槽７内で安定保持させることができ、効率良く浴槽７内の風呂水Ｘを吸水口体２０から吸入することができる。
【００３５】
また、Ｌ字部材１３の短手部１３ｂの先端に接続されている伸縮ホース部１９を浴槽７の底面７ｂ近くで屈曲させることにより、この伸縮ホース部１９の先端に接続されている吸水口体２０の先端を横方向に向けて、この吸水口体２０を浴槽７の底面７ｂに配置することができる。このため、浴槽７の底面７ｂ付近の風呂水Ｘも吸水口体２０から吸入することができ、風呂水Ｘを効率良く利用することができる。
【００３６】
また、基端側の洗濯機側ホース部１２に吊持具たるクリップ部材３１を用いた。このため、上述した第１実施例で示した吊持具としてのフック部材１５を掛けることができない箇所でも、所定の適正高さにクリップ部材３１の挟持部３７、３８を挟持させ、洗濯機側ホース部１２の途中部分を所定高さに吊持することができ、洗濯機側ホース部１２が、洗濯機３と浴槽７との間で大きく撓み変形することを防止できる。
【００３７】
（その他の実施例）
なお、本発明は上記し図示した実施例に限定されるものではなく、本発明の要旨を逸脱しない範囲で適宜変更して実施できる。例えば、上述した実施例では、吊持具としてのフック部材１５及びクリップ部材３１を開閉扉５の取っ手５ａに引っ掛けたが、これに限ることはなく、例えば、特に図示しないがドアノブやシャワー用フックなどに引っ掛けてもよい。
【００３８】
また、上述した実施例では、洗濯機側ホース部１２とは別部材のＬ字部材１３を設けた構成としたが、これに限らず、例えば、該ホース部１２と一体に曲成した屈曲部を形成した構成でもよい。
【００３９】
また、上述した実施例の浴槽側ホース部１４の主体となる伸縮ホース部１９は、少なくとも上下方向に伸縮可能であればよい。
また、上述した第１実施例では、ホース固定具として吸盤部材２１を備え、吊持具としてフック部材１５を備えた風呂水吸水ホース８を示し、第２実施例では、固定部としてクランプ部材３２を備え、吊持具としてクリップ部材３１を備えた風呂水吸水ホース３０を示した。しかし、上記したこれらの実施例に限ることはなく、固定部としてクランプ部材を備え、吊持具としてフック部材を備えた風呂水吸水ホースとしてもよく、また、ホース固定具として吸盤部材を備え、吊持具としてクリップ部材を備えた風呂水吸水ホースとしてもよいなど、適宜組み合わせて実施できる。
【符号の説明】
【００４０】
図面中、３は洗濯機、７は浴槽、８、３０は風呂水吸水ホース、１２は洗濯機側ホース部、１３はＬ字部材、１３ａは長手部、１４は浴槽側ホース部、１５はフック部材（吊持具）、２１は吸盤部材（ホース固定具）、３１はクリップ部材（吊持具）、３２はクランプ部材（ホース固定具）である。
【図１】
2011206102.tif 000003
【図２】
2011206102.tif 000004
【図３】
2011206102.tif 000005
【図４】
2011206102.tif 000006
【図５】
2011206102.tif 000007